(57)【要約】【課題】化粧料や化粧料原料の持続性、安定性などの物理化学的特性を評価しようとする場合、手間がかかる、大型の装置が必要となる、変化をリアルタイムに観察しにくい、説得力のある映像での提示がしにくいなどの問題があった。【解決手段】化粧料または化粧料用原料を塗工した皮膚、毛、または基板に、光学顕微鏡下で色素を溶解させて着色した水または油を接触させ、化粧料または化粧料用原料の挙動を観察することで、化粧料または化粧料用原料の持続性、安定性、毛に対する吸着挙動を評価することを特徴とする化粧料または化粧料用原料の評価方法、およびそれを用いて作製された説明用資料、化粧料用原料、化粧料にて解決する。【選択図】図２
2013117503.tif 000002
【特許請求の範囲】
【請求項１】
化粧料または化粧料用原料を塗工した皮膚、毛、または基板に、光学顕微鏡下で色素を溶解させて着色した水または油を接触させ、化粧料または化粧料用原料の挙動を観察することで、化粧料または化粧料用原料の持続性、安定性、毛に対する吸着挙動を評価することを特徴とする、化粧料または化粧料用原料の評価方法。
【請求項２】
色素を溶解させて着色した水または油を接触させた後、除去し、再度色素を溶解させて着色した水または油を接触させる工程を１回以上経ることで、化粧料または化粧料用原料の持続性、安定性、毛に対する吸着挙動を評価することを特徴とする、請求項１に記載の化粧料または化粧料用原料の評価方法。
【請求項３】
請求項１または２のいずれかに記載の方法にて評価した結果を記載した化粧料または化粧料用原料の説明用資料。
【請求項４】
請求項１または２のいずれかに記載の方法を用いて開発したことを特徴とする化粧品用原料。
【請求項５】
請求項１または２のいずれかに記載の方法を用いて開発したことを特徴とする化粧料。
【発明の詳細な説明】
【技術分野】
【０００１】  本発明は、化粧料または化粧料用原料を塗工した皮膚、毛、または基板に、光学顕微鏡下で色素を溶解させて着色した水または油を接触させ、化粧料または化粧料用原料の挙動を観察することで、化粧料または化粧料用原料の持続性、安定性、毛に対する吸着挙動を評価することを特徴とする、化粧料または化粧料用原料の評価方法、およびそれを用いて作製された説明用資料、化粧料用原料、化粧料に関する。
さらに詳しくは、化粧料や化粧料用原料の肌や毛髪上での変化を、接触させる水や油を着色して測定対象の試料と明確に区別することにより、リアルタイムに、かつ極めて簡便に観察することができ、消費者への説得力に富む映像、画像が提供できることを特徴とする化粧料または化粧料用原料の評価方法、およびそれを用いて作製された説明資料、および機能性に富む化粧料用原料、化粧料に関する。
【背景技術】
【０００２】  以下、本発明の技術的背景について説明する。
従来、頭髪化粧料の評価方法としては、特許文献１にあるように、ヒトを用いた有用性試験や、化粧料を処理した毛束を電子顕微鏡観察、折れ曲がり試験機などで評価する方法が一般的であった。これらの方法はいずれも有効性が高い評価方法であるものの、手間がかかりすぎるため、簡単に試作品を評価してみるといったことが行いにくい問題があった。ファンデーションやサンスクリーン剤の評価においても、特許文献２にあるようなヒトを用いた有用性試験が一般的に行われるが、天候や食事による影響、パネラーの体質を考慮する必要があることから、やはり試験は大がかりなものになり、簡便に製品の物理化学的特性を調べるということは難しかった。簡便な方法として、特許文献３にあるように、ヒトに代わってガラス板などの材料を用いて評価を実施することも行われている。これらモデル系での評価方法は、ヒトを使った試験との間に相関性が確認されている場合は大変有効であるが、化粧料がどのようなメカニズムで安定性を失っていくのか、品質を向上させるためにはどうしたらいいのかといった観点からのデータが得られにくい問題があった。【０００３】  また、有用性評価において色素を使う例としては、従来より特許文献４にあるように、フルオレセインなどの蛍光色素を用いて、細胞への有効成分の移行性や、リポソームの徐放性等を調べる目的で用いられている。この方法では、色素は製剤そのものの構成成分を形成しており、薬剤の動態など生物学的特性の評価には適しているものの、化粧料や化粧料用原料の、皮膚や毛髪上での物理化学的特性を評価することには向いていない問題があった。【０００４】  また、従来、化粧品において、製剤を顕微鏡を用いて直接観察したり（特許文献５）、肌の上に化粧料を塗布し、これをＣＣＤカメラなどの顕微鏡を用いて肌の状態を観察すること（特許文献６）などが行われている。しかしながら、これらの方法だけでは、化粧料が肌や毛髪の上で汗や皮脂と接触した場合の挙動を観察したり、推測したりすることはできない問題があった。【０００５】
【特許文献１】特開２００２−３０８７２２号公報
【特許文献２】特開２００７−３１３３６号公報
【特許文献３】特開２００３−４０７５６号公報
【特許文献４】特開２００９−１３１４２号公報
【特許文献５】特開２０１１−２０７８２５号公報
【特許文献６】特開２００６−３２７９７２号公報
【発明の開示】
【発明が解決しようとする課題】
【０００６】  以上のように、化粧料や化粧料用原料が肌や毛髪の上に塗布された後、水、汗や皮脂と接触した時の挙動は、化粧料の持続性や美容効果、化粧効果に大きな影響を与えるにもかかわらず、意外に評価が難しかった。これは、メイクアップ化粧料であれば、化粧料に色がついている場合があるため、変化を直接観察できるケースはあるものの、着色されていない一般的な基礎化粧料や化粧料用原料の場合では、水、汗や皮脂と接触した際に、光学的な区別がつかなくなり、挙動を観察することが困難になってしまうことも大きく影響している。
【課題を解決するための手段】
【０００７】  そこで、本発明人は鋭意検討した結果、化粧料または化粧料用原料を塗工した皮膚、毛、または基板に、光学顕微鏡下で、色素を溶解させて着色した水または油を接触させることで、評価をしたい化粧料や化粧料用原料と、後から加えた水や油が色で容易に区別できるため、化粧料または化粧料用原料の挙動の観察が容易であることを特徴とし、化粧料または化粧料用原料の持続性、安定性、毛に対する吸着挙動を簡便に評価できる、化粧料または化粧料用原料の評価方法を見いだした。そして、この評価方法を用いることで、消費者に化粧料の効果が画像や動画でビジュアルに伝えられる説明資料が作成できること、また、この評価方法を用いることで、より持続性や吸着特性に優れた化粧料用原料が開発でき、また、持続性に優れる、皮脂腺を閉塞しないなどの特性を有する化粧料の開発ができることを見いだした。【０００８】  すなわち、本発明は、化粧料または化粧料用原料を塗工した皮膚、毛、または基板に、光学顕微鏡下で色素を溶解させて着色した水または油を接触させ、化粧料または化粧料用原料の挙動を観察することで、化粧料または化粧料用原料の持続性、安定性、毛に対する吸着挙動を評価することを特徴とする、化粧料または化粧料用原料の評価方法にある。【０００９】  第２の本発明は、色素を溶解させて着色した水または油を接触させた後、除去し、再度色素を溶解させて着色した水または油を接触させる工程を１回以上経ることで、化粧料または化粧料用原料の持続性、安定性、毛に対する吸着挙動を評価することを特徴とする、請求項１に記載の化粧料または化粧料用原料の評価方法にある。【００１０】  第３の本発明は、上記のいずれかの方法にて評価した結果を記載した化粧料または化粧料用原料の説明用資料にある。【００１１】  第４の本発明は、上記のいずれかの方法を用いて開発したことを特徴とする化粧料用原料にある。【００１２】  第５の本発明は、上記のいずれかの方法を用いて開発したことを特徴とする化粧料にある。
【発明の効果】
【００１３】  以上説明するように、本発明は、化粧料または化粧料用原料を塗工した皮膚、毛、または基板に、光学顕微鏡下で色素を溶解させて着色した水または油を接触させ、化粧料または化粧料用原料の挙動を観察することで、化粧料または化粧料用原料の持続性、安定性、毛に対する吸着挙動等を評価することが可能な化粧料または化粧料用原料の評価方法が得られ、さらに、消費者に化粧料の効果が画像や動画でビジュアルに伝えられる説明資料が作成できること、この評価方法を用いることで、より持続性や吸着特性に優れた化粧料用原料が開発できること、持続性に優れる、皮脂腺を閉塞しないなどの特性を有する化粧料がより効率的に得られることが判る。
【発明を実施するための最良の形態】
【００１４】  以下、上記本発明を詳細に説明する。
本発明の評価方法では、化粧料または化粧料用原料を塗工した皮膚、毛、または基板を用いる。化粧料としては、基礎化粧料、頭髪化粧料、メイクアップ化粧料、ボディ用化粧料、サンスクリーン剤、洗浄料、染毛料などを用いることができる。化粧料用原料としては、従来化粧料に用いられる原料であれば特に限定されない。また、頭髪化粧料用のシリコーンガム配合エマルションなどの混合原料も好適に用いられる。塗工方法としては、匙などを用いて、皮膚、毛、基板などの上に実際に化粧料を使用する程度の塗工厚さにて塗工する。例えば、０．１〜４ｍｇ／ｃｍ２位の範囲の量にて１〜１０ｃｍ２程度の面積に塗工することが好ましい。ここで言う皮膚とは、ヒト、ラットなどの動物の皮膚が挙げられるが、特に生きているヒトの腕、頭皮などで直接観察することが好ましい。毛はカットしたものでも生体から生えているものそのものでも構わない。毛の生えている部位は頭やヒトの腕などが挙げられるが、カットしたものよりは、直接生体で試験することが好ましい。ここで言う基板としては、ガラス、ろ紙、樹脂板などが好ましい。特にろ紙は、水や油を化粧塗膜の下から供給できるモデル系が作れることから有用である。【００１５】  本発明の評価方法では、上記の化粧料または化粧料用原料を塗工した皮膚、毛、または基板に、光学顕微鏡下で色素を溶解させて着色した水または油を接触させる。この際、化粧料の上に色素を溶解させて着色した水または油を接触させるよりは、化粧料を塗布した部位の周辺部に着色した水または油を置いて、双方を側面で接触させると、挙動変化が観察しやすいため好ましい。ここで言う光学顕微鏡とは、透過型、落射型の光学顕微鏡や、ＣＣＤカメラ、ファイバースコープなどが挙げられる。観察する際の倍率としては、１０〜２５０倍程度の倍率で観察することが好ましい。低倍率であると、接触時の変化がわかりにくい場合があり、高倍率であると、焦点深度が浅くなる、視野が限られるなどの問題があり、変化を適切に評価しにくい。接触させる着色した水または油の量としては特に制限はないが、０．１〜３ｇ程度が好ましい。化粧料を塗布してから着色した水または油を接触させるまでの時間は、化粧料の使用方法に基づいて決めることが好ましい。例えば、頭髪化粧料のコンディショナーの場合は、あまり間を置かずに接触させることが好ましく、一方、サンスクリーン剤では、直後に接触させる場合と、しばらく時間を置いてから接触させる場合での違いを評価することも有用である。また、化粧料の剤型や化粧料用原料の特性によっては、基板上で相分離を生じる場合があり、こういう試料を評価する場合は、生きているヒトの皮膚上で観察することが好ましい。【００１６】  本発明の評価方法で用いる色素は、水溶性、油溶性のものを用いるが、ヒトに適用する場合があるため、安全性が確認されている色素を用いることが好ましく、具体的には、食用色素や化粧品で使用可能な色素、天然色素から選択することが好ましい。また、蛍光を有している色素も視認性が良いことから観察に適している。【００１７】  本発明の評価方法では、着色した水または油を接触させた後の化粧料または化粧料用原料の挙動を拡大して観察する。例えば、コンディショナーの場合では、着色水と接触させた場合では、毛髪にコンディショナー成分が吸着していく様子や、余剰の成分が水中で油滴を形成する様子などが観察され、また、乳化ファンデーションの場合では、製剤が相分離したり、顔料が凝集していく様子などが観察される。【００１８】  本発明の評価方法では、着色した水または油と接触させた後、ろ紙などに吸い取らせて着色させた水または油を除去し、観察を行った後、再び着色させた水または油に接触させることを１回以上繰り返すことが好ましい。化粧料や化粧料用原料に界面活性剤や界面活性成分が含まれている場合、この操作により、界面活性剤や界面活性成分の濃度が下がり、使用時の条件に近くすることができる。例えば、コンディショナーでは、皮膚上に油膜が形成されるケースもあり、頭皮トラブルなどの惹起可能性の有無が推定できる。【００１９】  本発明の評価方法では、試料として用いた化粧料または化粧料用原料の相分離構造や吸脱着挙動がビジュアルに得られる特徴があり、消費者や化粧品メーカーへの説得力に富む販売促進資料が得られる。本発明で言う化粧料または化粧料用原料の説明用資料の形態としては、パンフレット、能書、説明書、インターネットなどの電子的媒体による資料、書籍、雑誌、新聞、ビデオ、写真などが挙げられる。【００２０】  本発明の評価方法を用いて化粧料用原料を開発した場合、素材自体の特性が簡単に評価できるようになるため、品質の設定や、分子構造の設定がより簡便にできる。そのため、開発期間の短縮やより高品質の原料を供給できる。特に、頭髪化粧品、サンスクリーン剤、基礎化粧料、メイクアップ化粧料用の原料開発に有効である。更には、本方法での評価がしやすい、樹脂系の原料や高分子系の原料開発に有効である。例えば、顕微鏡下で、シリコーンガムが毛髪に吸着していく様子や、油剤が液滴となって水と共に流出する様子などが観察できる。【００２１】  本発明の評価方法を用いて化粧料を開発した場合、製剤自体の水、汗、皮脂に対する影響や、製剤の頭髪、皮膚への吸着形態、状態の変化がリアルタイムで行えることから、頭髪化粧料やサンスクリーン剤、メイクアップ化粧料、化粧下地料の開発に特に有効性が高い。例えば、着色水や着色油を用いて評価を実施した場合では、メイクアップ料やサンスクリーン剤のラスティング効果（持続性評価）を短時間に評価するのに大変有効である。より具体的には、例えば、肌に塗布したサンスクリーン剤が水によって不安定化し、相分離し、紫外線防御効果を失っていく様子や、着色した疑似皮脂（スクワラン）に塗膜が溶解し、流動化する様子などが観察でき、どの位耐水性を強化すれば実用的に問題がないのか等を実用試験を経なくても推定できるようになる。【００２２】  本発明の化粧料では、通常化粧料に用いられる各種の成分を任意の割合で含んでいても構わない。
【発明を実施するための最良の形態】
【００２３】  以下に実施例を挙げ本発明を更に詳細に説明するが、本発明はこれに限定されるものではない。
【実施例】
【実施例１】
【００２４】  頭髪化粧品用原料である、ジメチコンガム（１００万ｍｍ２／ｃｍ）とジメチコン（２００ｍｍ２／ｃｍ）を５５質量％含むエマルションを用い、前腕外側部に薄く塗工した。ＣＣＤカメラを用いて、経時で外観の変化がないことを確認した後、食紅（ベニコウジ・赤色）で着色した精製水を塗工部の横に載せ、両者を接触させ、ＣＣＤカメラで変化を観察した。一例を図１に示す。図１は着色水中でシリコーン成分が分離し、液滴を形成したところを撮影したものである。ろ紙を用いて着色水を吸い取り、再度前記と同じ着色水を同位置で接触させ、ＣＣＤカメラを用いて変化を観察した例を図２に示す。図２は右下側が着色水、左側が皮膚になる。着色水中には図１で観察されたようなシリコーン成分の液滴は全く観察されず、皮膚上にも油膜は観察されない。一方、毛の上には、図３に示すようにシリコーン成分が点状に付着している様子が見られた。
【実施例２】
【００２５】  頭髪化粧品用原料である、ジメチコンガム（１００万ｍｍ２／ｃｍ）を６０質量％含むエマルションを用い、前腕外側部に薄く塗工した。ＣＣＤカメラを用いて、経時で外観の変化がないことを確認した後、食紅（ベニコウジ・赤色）で着色した精製水を塗工部の横に載せ、両者を接触させ、ＣＣＤカメラで変化を観察した。ろ紙を用いて着色水を吸い取り、再度前記と同じ着色水を同位置で接触させ、ついでろ紙を用いて着色水を吸い取り、頭髪化粧料のリンス工程を再現させた。この後の皮膚上の様子をＣＣＤカメラで観察した例を図４に示す。図４ではシリコーン系成分が皮膚に多く付着している様子が観察された。
【実施例３】
【００２６】  実施例２の図４においてシリコーン系成分の皮膚への付着が多く観察されたため、このまま製品化すると、使用時に毛穴や皮脂腺を閉塞して皮膚トラブルが起こる可能性が推定されたため、界面活性効果のある成分の量をやや増量したコンディショナーを作製し、実施例２と同様にして評価したところ、皮膚への付着が観察されず、使用感も良好な頭髪用コンディショナー製品を得た。
【実施例４】
【００２７】  市販のサンスクリーン剤２種をろ紙上に塗布し室温で１時間放置した。その横に食紅（ベニコウジ・赤色）で着色した精製水を供給した。光学顕微鏡で落射観察したところ、片方のサンスクリーン剤は全く変化がなく安定であったが、片方のサンスクリーン剤は製剤の分離が生じ、水に弱い特性があることが判明した。また、その分離の仕方から、塗膜全体の耐水性が欠如していることが判った。
【実施例５】
【００２８】  リクイドファンデーションをろ紙上に塗布し室温で時間放置した。その横にパプリカ色素を用いて着色したスクワランを供給した。光学顕微鏡で落射観察したところ、時間と共に、顔料の凝集が生じ、同時に塗膜の光沢が上がり、テカリが再現された。次に、フッ素処理顔料を用いたパウダーファンデーションを用いて同様の試験を実施したところ、塗膜の隙間からスクワランが液滴状に上がってくるものの、塗膜全体としては安定しており、化粧崩れしにくく、テカリにくい状態が確認された。これらの結果を用いることで、ファンデーションの処方設計における対皮脂性や耐汗性の評価がより簡便に実施できることが判った。【００２９】〔比較例１〕
実施例１で用いた食紅（ベニコウジ・赤色）で着色した精製水の代わりに、未着色の精製水を用いた他は実施例１と同様にした。その結果、水と油性成分との区別がつかず、明瞭な観察ができなかった。【００３０】〔比較例２〕
実施例４で用いた食紅（ベニコウジ・赤色）で着色した精製水の代わりに、未着色の精製水を用いた他は実施例４と同様にした。その結果、実施例では劣化が観察されたサンスクリーン剤について、分離の仕方が明瞭に観察できないことがわかった。【００３１】  以上より、本発明の評価方法の実施例は、比較例と比べて極めて明瞭に化粧料及び化粧料用原料の水と油に対する挙動を観察することができることは明らかである。比較例では、化粧料や化粧料用原料との差が判りにくく、化粧料や原料が動いたものなのか、それとも後から加えた水や油が移動したものなのかが確定できない問題があることが明確になった。また、化粧料や化粧料用原料のくずれ方を観察し、そこから問題点を把握し、処方設計にフィードバックすると、比較的容易に品質が改善したものが得られる。今までは実用試験などでしか判断できなかったデータが手元で簡単に得られるのは極めて効率的である。また、図面に示したような写真やビデオが容易に得られるのも本方法の特徴であり、これによりビジュアルで説得力に富んだ説明用資料が得られることも確認できた。【００３２】
【図面の簡単な説明】
【００３３】
【図１】  水中でシリコーン成分が分離し、液滴を形成したＣＣＤカメラの画像の例
【図２】  着色水を接触、除去した後、再度着色水を接触させた時のＣＣＤカメラの画像の例
【図３】  毛にシリコーン成分が付着した時のＣＣＤカメラの画像の例
【図４】  シリコーン成分が皮膚に付着した時のＣＣＤカメラの画像の例
【図１】
2013117503.tif 000003
【図２】
2013117503.tif 000004
【図３】
2013117503.tif 000005
【図４】
2013117503.tif 000006